(57)【要約】【課題】保存時には薬剤と溶解液とを液密に分離し、使用時には薬剤と溶解液とを無菌的に混合可能な輸液用容器において、薬剤を収納する薬剤収納室内への外部空気中の水分の透過を防止して薬剤の変質を防止する輸液用容器を提供すること。【解決手段】薬剤を収納する薬剤収納室と、前記薬剤収納室に連設され、前記薬剤を溶解するための溶解液を収納する溶解液収納室とを備える。薬剤収納室は、溶解液収納室とは保存時には液密に区画され、かつ使用時には連通可能に構成される。さらに、薬剤収納室は、その構成壁が、内面層、外面層、及び内面層と外面層との間の中間層からなる３層樹脂構造である。内面層、外面層及び中間層はそれぞれ熱可塑性樹脂からなり、さらに中間層は、内面層、外面層よりも透湿度が小さい低透湿性樹脂からなる。【選択図】        図１
2005006945.tif 000002
【特許請求の範囲】
【請求項１】
薬剤を収納する薬剤収納室と、前記薬剤収納室に連設され、前記薬剤を溶解するための溶解液を収納する溶解液収納室とを備え、前記薬剤収納室が、前記溶解液収納室とは保存時には液密に区画され、かつ使用時には連通可能に構成された輸液用容器であって、
前記薬剤収納室は、その構成壁が、内面層、外面層、及び内面層と外面層との間の中間層からなる３層樹脂構造であり、
前記内面層、外面層及び中間層はそれぞれ熱可塑性樹脂からなり、
さらに中間層は、内面層、外面層よりも透湿度が小さい低透湿性樹脂からなることを特徴とする輸液用容器。
【請求項２】
中間層は、透湿度（膜厚：３００μｍ、温度：４０℃、相対湿度：９０％）が０．３ｇ／ｍ２・２４ｈｒ以下の低透湿性樹脂からなる請求項１に記載の輸液用容器。
【請求項３】
中間層は、その厚みが５０μｍ〜３ｍｍに設定された請求項１又は２に記載の輸液用容器。
【請求項４】
低透湿性樹脂が、シクロオレフィンポリマー又はシクロオレフィンコポリマーからなる請求項１〜３の何れか１つに記載の輸液用容器。
【請求項５】
３層樹脂構造は、サンドイッチ成形法によりスキン層として内面層及び外面層が形成され、かつコア層として中間層が形成された請求項１〜４の何れか１つに記載の輸液用容器。
【請求項６】
薬剤が、粉末薬剤又は凍結乾燥薬剤である請求項１〜５の何れか１つに記載の輸液用容器。
【発明の詳細な説明】
【０００１】
【発明の属する技術分野】
本発明は、輸液用容器に関し、さらに詳しくは、粉末薬剤、凍結乾燥薬剤などの薬剤と、この薬剤を溶解するための溶解液とを分離した状態で保存しておき、使用直前に容器内で薬剤と溶解液とを無菌的に混合し、輸液として供給するための輸液用容器に関する。
【０００２】
【従来の技術及び発明が解決しようとする課題】
この種の輸液用容器としては、溶解液を収納する合成樹脂製シートからなる溶解液収納室と、この溶解液収納室の一端に連設された薬剤を収納する薬剤収納室とを備えたものが公知である（例えば、特許文献１参照）。この輸液用容器は、薬剤収納室が、カップ型の構成壁と、この構成壁の開口部を密封するキャップ部材と、薬剤収納室の底部に設けられ、薬剤収納室と溶解液収納室とを連通させる連通孔と、前記底部に樹脂接着（仮止め）されて連通孔を液密に封鎖する突状部とを有し、この突状部の先端はキャップ部材の内側に設けられた係合孔に係合しており、キャップ部材を回すことにより突状部を回動させて樹脂接着を破り、連通孔を開口させて薬剤収納室と溶解液収納室を連通させ、溶解液収納室内の溶解液を薬剤収納室内に流入させて溶解液と薬剤とが混合するように構成されている。
この輸液用容器において、薬剤収納室及び溶解液収納室は、それぞれポリエチレン、ポリプロピレン、ポリ塩化ビニルなどの汎用樹脂素材からなる。
【０００３】
【特許文献１】
特開２００１−１６１７９１号公報
【０００４】
しかしながら、上記特許文献１の輸液用容器では、薬剤収納室がポリエチレン、ポリプロピレン、ポリ塩化ビニルなどの水蒸気透過性が比較的大きい汎用合成樹脂素材にて形成されているため、薬剤収納室の壁部を外部空気中の湿気（水蒸気）が徐々に透過し、薬剤収納室内に湿気が侵入するため、薬剤収納室内に吸湿性を有する薬剤を収納する場合、薬剤が湿気によって変質してしまう場合があるため、（１）薬剤変質防止剤として乾燥剤を、使用時の（薬剤と溶解液とが混合した）薬液に混合しないように薬剤収納室内に収納できる構造としたり、（２）輸液用容器全体を防湿性フィルムでラミネートあるいはラッピングしていた。
【０００５】
しかし、上記（１）では、新たに乾燥剤が必要であると共に、乾燥剤を収納する乾燥剤収納室を薬剤収納室内に設けるため構造が複雑化し、輸液用容器の製造コストが大幅に増加していた。また、上記（２）では、使用時に防湿性フィルムを剥がすので新たにゴミが発生する問題があった。
【０００６】
そこで、本発明の主要な目的の一つは、保存時には薬剤と溶解液とを液密に分離し、使用時には薬剤と溶解液とを無菌的に混合可能な輸液用容器において、薬剤を収納する薬剤収納室内への外部空気中の湿気の透過を確実に防止して薬剤の吸湿による変質を防止する輸液用容器を提供することにある。
また、本発明の主要なもう一つの目的は、薬剤変質防止剤が不要となって薬剤収納室の構造簡素化を図ることができると共に、防湿性フィルムが不要となってゴミの発生がない輸液用容器を提供することにある。
【０００７】
【課題を解決するための手段】
かくして、本発明によれば、薬剤を収納する薬剤収納室と、前記薬剤収納室に連設され、前記薬剤を溶解するための溶解液を収納する溶解液収納室とを備え、前記薬剤収納室が、前記溶解液収納室とは保存時には液密に区画され、かつ使用時には連通可能に構成された輸液用容器であって、
前記薬剤収納室は、その構成壁が、内面層、外面層、及び内面層と外面層との間の中間層からなる３層樹脂構造であり、
前記内面層、外面層及び中間層はそれぞれ熱可塑性樹脂からなり、
さらに中間層は、内面層、外面層よりも透湿度が小さい低透湿性樹脂からなる輸液用容器が提供される。
【０００８】
つまり、本発明は、薬剤が収納された薬剤収納室と、溶解液が収納された溶解液収納室とが液密に区画された輸液用容器であるため、保存状態（使用前）には薬剤収納室内の薬剤を、溶解液収納室内の湿気のみならず外部空気中の湿気からも保護する必要があり、そのために薬剤収納室の構成壁を３層樹脂構造とし、その中間層を内面層、外面層よりも透湿度が小さい低透湿性樹脂にて構成して外部空気中の湿気が構成壁を透過するのを防止し、薬剤収納室内を乾燥状態に保持するようにしているわけである。この場合、中間層は、具体的には、透湿度（膜厚：３００μｍ、温度：４０℃、相対湿度：９０％）が０．３ｇ／ｍ２・２４ｈｒ以下の低透湿性樹脂からなるのが好ましい（ＪＩＳ  Ｚ  ０２０８参照）。
本発明において、薬剤収納室は、その内部に収納する薬剤を特に限定するものではないが、上述したように薬剤収納室内の乾燥保持に優れるため、湿気によって変質する吸湿性薬剤を安定性を保持したままで収納することができる。
したがって、本発明は、薬剤収納室内の薬剤を吸湿により変質させることなく安定的に保存できる輸液用容器を提供することができる。また、本発明は、薬剤収納室内に薬剤変質防止剤及びこれを収納する構造が不要であり、また輸液用容器全体を被覆する防湿性フィルムが不要であり、ゴミ対策に配慮した輸液用容器を低コストにて提供することができる。
【０００９】
【発明の実施の形態】
【００１０】
本発明において、低透湿性樹脂は、例えば、シクロオレフィンポリマー（シクロオレフィンの開環重合体）、シクロオレフィンコポリマー（シクロオレフィンとαオレフィンの付加共重合体）などを挙げることができる。
【００１１】
シクロオレフィンポリマーとしては、例えば、ゼオネックス（登録商標）（日本ゼオン（株）製）や、ゼオノア（登録商標）（日本ゼオン（株）製）や、ＡＲＴＯＮ（登録商標）（ＪＳＲ社製）などのシクロオレフィンポリマーを挙げることができる。
【００１２】
さらに、シクロオレフィンコポリマーとしては、例えば、アペル（登録商標）（三井化学（株）製）や、ＴＯＰＡＳ（登録商標）（ＴＩＣＯＮＡ社製）などのシクロオレフィンコポリマーを挙げることができる。
【００１３】
本発明において、薬剤収納室の構成壁の３層樹脂構造は、公知のサンドイッチ成形法によりスキン層として内面層及び外面層が形成され、かつコア層として中間層が形成されたものとすることができ、３層樹脂構造に構成壁を成形することができる。例えば、内面層及び外面層（スキン層）を、日本薬局方プラスチック製医薬品容器試験法に記載されているポリエチレン、ポリプロピレン、ポリ塩化ビニル等の熱可塑性樹脂にて形成し、中間層を上述のシクロオレフィンポリマー、シクロオレフィンコポリマーなどの低透湿性樹脂にて形成することができる。
また、中間層の厚みは５０μｍ〜３ｍｍに設定することが、薬剤収納室内の薬剤の吸湿防止を十分に行える上で好ましい。なお、中間層の厚みが５０μｍよりも小さいと薬剤収納室内の薬剤が湿気るおそれがあり、３ｍｍよりも大きいと剛性を確保する厚みとして過剰であり、かつ原料樹脂コストにおける高価な低透湿性樹脂（例えばシクロオレフィンポリマー）が占める割合が大きくなり、輸液用容器全体としてコスト高となる。
【００１４】
本発明において、使用時に薬剤収納室と溶解液収納室とを連通可能とする構成としては、
薬剤収納室が、剛性を有し、底部に溶解液収納室と連通する連通孔を有するカップ型の構成壁と、構成壁の底部に樹脂接着（仮止め）されて前記連通孔を開放可能に液密に封鎖する突状部と、構成壁の口部を密封するキャップ部材とを備え、さらに、キャップ部材が、前記突状部の先端に係合される係合部を有し、キャップ部材の回転操作により係合部及び突状部を介して連通孔を開放可能とする構造を採用することができる。
【００１５】
上記構成の場合、突状部は、少なくとも構成壁の連通孔を液密に封鎖する底部分が低透湿性樹脂である高密度ポリエチレン等にて形成されるのが好ましく、あるいは突状部全体をポリプロピレンやポリエチレン等の単独又は混合物にて形成する場合には、溶解液（水分）による底部分の透過を防止できる厚み：２      〜４ｍｍに設定するのが好ましい。
【００１６】
本発明における溶解液収納室は、ポリエチレン、ポリプロピレン、ポリ塩化ビニルなどの比較的柔らかい熱可塑性樹脂のシートを融着して袋状に成形されるか、これらの樹脂をブロー成形した可撓性の容器であることが好ましく、薬剤収納室の構成壁の外面層と同じ樹脂からなることが双方を容易かつ液密に熱溶着して連設できる上でより好ましい。
換言すると、溶解液収納室の構成材料を当該分野の輸液用容器に用いられる一般的なポリエチレン、ポリプロピレン、ポリ塩化ビニルなどの熱可塑性樹脂を使用する場合、薬剤収納室における溶解液収納室との少なくとも熱溶着部分の構成材料もこれらの樹脂と熱溶着可能な樹脂（好ましくは同一の樹脂）とする必要があり、本発明は薬剤収納室の構成壁をサンドイッチ成形法により３層樹脂構造としてその内面層及び外面層を溶解液収納室と同じ樹脂にて形成できることから、薬剤収納室と溶解液収納室とを熱溶着により液密に連設することが容易に行える。
【００１７】
本発明において、薬剤収納室に収納される薬剤としては、具体的には、次の活性成分を例示できる。
抗生剤としては、セファゾリンナトリウム、セフチゾキシムナトリウム、塩酸セフォチアム、塩酸セフメノキシム、セファセトリルナトリウム、セファマンドールナトリウム、セファロリジン、セファタキシムナトリウム、セフォテタンナトリウム、セフォペラゾンナトリウム、セフスロジンナトリウム、セフテゾールナトリウム、セフピラミドナトリウム、セフメタゾールナトリウム、セフロキシムナトリウム、硫酸セフォクレス、硫酸セフピロムなどのセフェム系抗生物質、またアンピシリンナトリウム、カルベニシリンナトリウム、スルベニシリンナトリウム、チカルシリンナトリウムなどのペニシリン系抗生物質、さらには塩酸バンコマイシン、テイコプランなどがある。抗腫瘍剤としては、マイトマイシンＣ、フルオロウラシル、テガフール、シタラビンなどがある。抗潰瘍剤としては、ファモチジン、塩酸ラニチジン、シメチジンなどがある。
【００１８】
本発明において、溶解液収納室に収納される溶解液としては、生理的食塩水、ブドウ糖液、またはシステイン、トリプトファンなどを添加したアミノ酸液などが挙げられるが、特にこれらに限定されるものではない。
【００１９】
以下、実施の形態を示す図面に基づいて本発明を詳説する。なお、この実施の形態によって本発明は限定されるものではない。
【００２０】
図１は本発明に係る輸液用容器の実施の形態を示す縦断面図であり、図２は図１とは９０°異なる方向の縦断面図であり、図３は図２の要部拡大縦断面図であり、図４は図２のＡ−Ａ線断面図であり、図５は図３の丸部拡大断面図であり、図６は主として連通孔の開放状態を説明する一部分解斜視図である。
【００２１】
この輸液用容器１０は、図１と図２に示すように、凍結乾燥薬剤（図示省略）を収納した薬剤収納室１と、前記凍結乾燥薬剤を溶解するための溶解液（図示省略）を収納した溶解液収納室２とから主として構成されている。
【００２２】
薬剤収納室１は、透明な広口のカップ型で、その底部６を溶解液収納室２に連設された構成壁８と、キャップ部材３とからなる。
【００２３】
構成壁８は、その上端には、キャップ部材３を装着可能な口部１ａを有すると共に、溶解液収納室２と液密に連設する底部６には、薬剤収納室１と溶解液収納室２とを連通させるための連通孔５（５ａ、５ｂ）が形成されている。また、構成壁８は、その口部１ａ近傍の外周面に１８０°の対向位置に一対の凸部１１、１２が形成されると共に、外周面の下部に、後述するキャップ部材３を回す際に持ち易くするために一対の段落部４０、４１が１８０°間隔にて形成されている。
【００２４】
この構成壁８は、図３〜図５に示すように、公知のサンドイッチ成形法によりスキン層として内面層８ａ及び外面層８ｂが形成され、かつコア層として中間層８ｃが形成された３層樹脂構造であり、平均厚みＴ：約２ｍｍである。
内面層８ａ及び外面層８ｂは、ポリプロピレン（膜厚：５０μｍ、温度：４０℃、相対湿度：９０％のときの透湿度：３ｇ／ｍ２・２４ｈｒ）にてそれぞれ略等しい平均厚みＴ１、Ｔ２：約０．５ｍｍに形成されている。また、中間層８ｃはシクロオレフィンポリマー（膜厚：３００μｍ、温度：４０℃、相対湿度：９０％のときの透湿度：０．２９ｇ／ｍ２・２４ｈｒ以下）にて上記平均厚みＴ１、Ｔ２と略等しい平均厚みＴ３：約０．５ｍｍに形成されている。
このシクロオレフィンポリマーとしては、例えば、ゼオネックス（登録商標）６９０Ｒ（日本ゼオン（株）製）が好適に用いられる。
【００２５】
本発明において、サンドイッチ成形法による構成壁８の成形では、溶融したポリプロピレンを金型内に所定量射出した直後に、溶融した上記シクロオレフィンポリマーを所定量金型内に射出して成形するため、内面層８ａ・外面層８ｂと中間層８ｃとが相互に隙間なく密着し一体化している。したがって、各層８ａ、８ｂ、８ｃの密着性に優れた構成壁８が得られる。
【００２６】
さらに、薬剤収納室１は、構成壁８内に突出し、連通孔５に被さって密封する突状部７としての一対の突部７ｃ、７ｄを有している。これらの突部７ｃ、７ｄは、横に並んだ一対の塔状で、ねじりに対する強度を付与するために特にひれ状のリブ７ｆ、７ｇを備え、かつそれらの下端を連結する底部分７ｅに扇状の一対の切欠き（又は開口）７ａ、７ｂを形成してなる。
【００２７】
ここで、薬剤収納室１の底部６に形成された扇状の連通孔５ａ、５ｂは、底部６の中心で対向して形成され、中心角度がいずれも約９０°である。一方、突状部７の扇状の切欠き７ａ、７ｂは、上記連通孔５ａ、５ｂに対応して形成されている。したがって、突部７ｃ、７ｄの回動により、底部分７ｅの切欠き７ａ、７ｂと薬剤収納室１の底部６の一対の連通孔５ａ、５ｂとを合わせると、薬剤収納室１と溶解液収納室２とを連通させることができる。なお、７ｈは底部分７ｅ上に形成された突状部７の１つとしての突条である。
この突状部７は、使用前は突状部７の底部分７ｅの下面が構成壁８の底部６に樹脂接着（仮止め）され、それによって連通孔５ａ、５ｂは突状部７の底部分７ｅにて液密に密封される。すなわち、溶解液収納室２内の溶解液（水分）が突状部７の底部分７ｅを透過しない構成とするために、突状部７は高密度ポリエチレンにて形成され、底部分７ｅは厚み：２．５ｍｍとされている。また、突状部７の底部分７ｅを構成壁８の底部６に接着する樹脂接着部はポリプロピレンにて幅：２．５ｍｍに形成されている。
【００２８】
キャップ部材３は、キャップ本体３ａと、キャップ本体３ａの内側に設けられたゴム栓２０と、キャップ本体３ａの外側に取外し可能に付設された上蓋部９とを備える。さらに、キャップ部材３は、構成壁８の口部１ａが挿入されるキャップ本体３ａとゴム栓２０の間の隙間の奥部にＯ型リングパッキング３３が設けられている。
【００２９】
キャップ本体３ａは、全体がポリプロピレンにて形成されており、中心に薬剤取出部４としての孔部３ｂを有する環状壁と、環状壁の外周縁に沿って設けられ、構成壁８の口部１ａに嵌合される外周壁とからなり、この外周壁の内面には９０°の範囲で口部１ａの上記一対の凸部１１、１２との相対移動を規制する凹溝３４、３５が形成されている。また、キャップ本体３ａの環状壁の下面には、一対のＹ字状ツメ３１、３２が１８０°で対向する位置に突設されている。
【００３０】
ゴム栓２０は、大部分を占める、薬剤（固形）との安定性を向上させるために選択された塩素化ブチルゴム製の栓本体２０ａと、この栓本体２０ａの上面の略中心に位置し、キャップ本体３ａの孔部３ｂに対応して穿刺針の貫通後の液漏れを防止する小ゴム栓部２０ｂとの二重構造からなる。
栓本体２０ａの下面には、穿刺針の刺通を容易にするための下凹部２０ｃと、突部７ｃ、７ｄの先端部に係合する係合孔２０ｄ、２０ｅとが形成されている。これらの係合孔２０ｄ、２０ｅの直径は２〜６ｍｍに設定されている。一方、栓本体２０ａの上面には、小ゴム栓部２０ｂの下端と嵌合する嵌合凹部が形成されると共に、キャップ本体３ａの上記一対のＹ字状ツメ３１、３２と係合してキャップ本体３ａの回動を栓本体２０ａへ確実に伝達するためのＹ字状凹部２１、２２が形成されている。なお、栓本体２０ａの下部表面には、薬剤を溶解液に溶解させるに際してキャップ部材３の回動を容易にするために（口部１ａに対する摩擦抵抗を軽減するために）超高分子ポリエチレンフィルムをラミネート加工している。
小ゴム栓部２０ｂは、復元性のよいイソプレンゴム製であり、孔部３ｂで一部露出しているが、その露出部表面が汚染されないように孔部３ｂが上蓋部９にて施蓋されている。
上蓋部９は、キャップ本体３ａの孔部３ｂの周縁に熱溶着によって装着されており、上蓋部９の引張片９ａを引っ張り、溶着部を破って開くことにより、孔部３ｂを介して小ゴム栓部２０ｂが現れるように構成されている。なお、上蓋部９はその上面を平坦とし、薬剤及び溶解液を備えた輸液用容器１０をキャップ部材３を下にして自立できるようにしている。
【００３１】
このように構成されたキャップ部材３を構成壁８の口部１ａに嵌合することにより、口部１ａの上端縁がＯ型リングパッキング３３に圧接して密封され、キャップ本体３ａと構成壁８の隙間から湿気を含む外部空気の薬剤収納室１内への侵入が防止され、一方キャップ本体３ａの上面側は小ゴム栓部２０ｂ及び栓本体２０ａによって湿気を含む外部空気の薬剤収納室１内への侵入が防止される。無論、使用時の薬液（薬剤と溶解液との混合液）の薬剤収納室からの外部漏れも防止される。
【００３２】
溶解液収納室２は、透明なポリプロピレンにより液密で扁平な袋状（厚み：０．２〜０．５ｍｍ）にブロー成形され、十分な可撓性と弾力性を有している。溶解液収納室２の上部には、薬剤収納室１の下端部に形成されたポート１ｂに連設するフランジ状の口部２ｂが形成されている。溶解液収納室２の下端の縁部２ａには、吊り下げ支持部としての吊り下げ孔部２３が形成されている。薬剤収納室１の構成壁８のポート１ｂと溶解液収納室２の外フランジ状の口部２ｂとを、熱溶着することにより、薬剤収納室１が溶解液室収納室２に連設（連接）される。この際、図３に示すように、構成壁８のポート１ｂ下端の断面構造は、中間層８ｃの下端を内面層８ａと外面層８ｂの下端が覆い被さった断面構造であるため、構成壁８の内面層８ａ・外面層８ｂを構成するポリプロピレンと、溶解液収納室２を構成するポリプロピレンとが相互に液密に熱溶着する。なお、構成壁８のポート１ｂ下端を、溶解液収納室２の口部２ｂのように外フランジ状に形成してもよく、そうすれば構成壁８の内面層８ａと溶解液収納室２の口部２ｂとを熱溶着することができ、あるいは構成壁８のポート１ｂ下端を内フランジ状に形成すれば、構成壁８の外面層８ｂと溶解液収納室２の口部２ｂとを熱溶着することができる。
【００３３】
輸液用容器１０は、このような構成からなるので、使用の際、キャップ部材３を回転操作すると、それに伴ってゴム栓２０が回動し、さらにゴム栓２０の係合孔２０ｄ、２０ｅを介して突部７ｃ、７ｄも回動して薬剤収納室１の底部６との樹脂接着（仮止め）を破り、薬剤収納室１と溶解液収納室２の間に、大きい連通孔５（５ａ、５ｂ）を容易に形成することができる（特に図６参照）。
さらに、輸液用容器１０を上下逆にするか、又は溶解液収納室２を押圧することにより、溶解液を連通孔５を介して薬剤収納室１に流し込む。
【００３４】
次いで、上蓋部９をその引張片９ａによって取り外して、薬液取出部４としての孔部３ｂを開放し、点滴具（図示省略、以下同様）に一体に接続された穿刺針を、露出したゴム栓２０の小ゴム栓部２０ｂに刺通し、さらに栓本体２０ａを刺通してから、溶解液収納室２の吊り下げ孔部２３をスタンドに掛けると、薬剤と溶解液とを混合してなる薬液を輸液として点滴具の他端に取り出すことができる。
【００３５】
以上のごとく、この輸液用容器によれば、薬剤を収納する薬剤収納室内の湿気防止に優れるため、薬剤の湿気による変質を防止して安定的に保存することができる。
【００３６】
【発明の効果】
本発明によれば、薬剤収納室内に薬剤変質防止剤（乾燥剤）及びこれを収納する構造が不要であり、薬剤収納室内の薬剤を変質させることなく安定的に保存できる輸液用容器を提供することができる。
また、本発明によれば、薬剤収納室内に薬剤変質防止剤及びこれを収納する構造が不要であり、また輸液用容器全体を被覆する防湿性フィルムが不要であり、ゴミ対策に配慮した輸液用容器を低コストにて提供することができる。
【図面の簡単な説明】
【図１】本発明に係る輸液用容器の実施の形態を示す縦断面図である。
【図２】図１とは９０°異なる方向の縦断面図である。
【図３】図２の要部拡大縦断面図である。
【図４】図２のＡ−Ａ線断面図である。
【図５】図３の丸部拡大断面図である。
【図６】主として連通孔の開放状態を説明する一部分解斜視図である。
【符号の説明】
１  薬剤収納室
２  溶解液収納室
８  構成壁
８ａ  内面層
８ｂ  外面層
８ｃ  中間層
Ｔ３  中間層の厚み
【図１】
2005006945.tif 000003
【図２】
2005006945.tif 000004
【図３】
2005006945.tif 000005
【図４】
2005006945.tif 000006
【図５】
2005006945.tif 000007
【図６】
2005006945.tif 000008